(57)【要約】【課題】簡易な構造で植物の配置空間を開閉可能とする。【解決手段】シート用重り４０は断熱・遮光シート２０の内面に当接して配置され、シート用重り５０は断熱・遮光シート３０の内面に当接して配置される。断熱・遮光シート２０が移動することによって、配置空間１１が開放される場合、シート用重り４０及びシート用重り５０は、上下方向に移動する。特に、配置空間１１が開放される場合には、シート用重り４０は、自重によって下方に移動する。同様に、配置空間１１が開放される場合には、シート用重り５０は、自重によって下方に移動する。【選択図】図３
2013230110.tif 000002
【特許請求の範囲】
【請求項１】
栽培される植物の配置空間の外縁に沿った形状の枠材と、
前記枠材の外方に配置され、長手方向の辺の一方が前記枠材の一端に取り付けられて前記枠材に沿って移動することにより、前記配置空間の第１の片側を開閉する第１の幕状体と、
前記枠材の外方に前記第１の幕状体と対向して配置され、長手方向の辺の一方が前記枠材の他端に取り付けられて前記枠材に沿って移動することにより、前記配置空間の第２の片側を開閉する第２の幕状体と、
前記第１の幕状体及び前記第２の幕状体を移動させる駆動機構と、
前記第１の幕状体の長手方向に延在して前記第１の幕状体の内面に当接し、前記配置空間の第１の片側の開閉時に上下方向に移動可能な第１の棒状体と、
前記第２の幕状体の長手方向に延在して前記第２の幕状体の内面に当接し、前記配置空間の第２の片側の開閉時に上下方向に移動可能な第２の棒状体と、
を備えることを特徴とする栽培装置。
【請求項２】
前記駆動機構は、
前記第１の幕状体の長手方向の辺の他方側に取り付けられ、回転自在な第１のプーリと、
前記配置空間の第２の片側の上部に配置され、回転自在な第２のプーリと、
前記第２の幕状体の長手方向の辺の他方側に取り付けられ、回転自在な第３のプーリと、
前記配置空間の第１の片側の上部に配置され、回転自在な第４のプーリと、
第１のケーブルと、
第２のケーブルと、
前記第１のケーブル及び前記第２のケーブルを巻き取り可能な第５のプーリと、
を備え、
前記第１のケーブルは、一端が前記第２のプーリに取り付けられ、前記第１のプーリ及び前記第２のプーリの順に巻き付けられて延在し、他端が前記第５のプーリに取り付けられ、
前記第２のケーブルは、一端が前記第４のプーリに取り付けられ、前記第３のプーリ及び前記第４のプーリの順に巻き付けられて、他端が前記第５のプーリに取り付けられることを特徴とする請求項１に記載の栽培装置。
【請求項３】
前記第１の幕状体は、長手方向の辺の他方と前記第１のプーリの取り付け箇所との間に、第１の領域を有し、
前記第２の幕状体は、長手方向の辺の他方と前記第３のプーリの取り付け箇所との間に、第２の領域を有することを特徴とする請求項２に記載の栽培装置。
【請求項４】
前記第１の領域に取り付けられ、前記第２の領域を止着する止着部材を備えることを特徴とする請求項３に記載の栽培装置。
【請求項５】
前記枠材に取り付けられ、前記第１のケーブルが当接可能な第１の当接部材と、
前記枠材に取り付けられ、前記第２のケーブルが当接可能な第２の当接部材と、
を備えることを特徴とする請求項２乃至４の何れか１項に記載の栽培装置。
【請求項６】
前記配置空間の上部に設けられ、前記配置空間に液体を散布する配管を備えることを特徴とする請求項１乃至５の何れか１項に記載の栽培装置。
【請求項７】
前記駆動機構を制御する駆動制御部を備えることを特徴とする請求項１乃至６の何れか１項に記載の栽培装置。
【請求項８】
前記駆動制御部は、前記配置空間内の温度に応じて前記駆動機構を制御することを特徴とする請求項７に記載の栽培装置。
【請求項９】
前記配管から散布される液体の温度を調整する温度調整部を備えることを特徴とする請求項６に記載の栽培装置。
【発明の詳細な説明】
【技術分野】
【０００１】
本発明は、植物の栽培装置に関する。
【背景技術】
【０００２】
従来より、植物の栽培においては、病害虫の駆除等を目的として植物の配置空間を開閉可能な構造を有する栽培装置が用いられている。例えば、開閉自在な遮蔽幕によって植物の配置空間を覆い、更に、配置空間に上方から防虫剤等を散布する栽培装置がある（例えば、特許文献１参照）。また、開閉自在な遮蔽幕で植物の配置空間を覆い、更に、配置空間内部を冷風供給機構などで一定温度以下にすることにより、植物の収穫時期を調整する栽培装置が知られている（例えば、特許文献１参照）。
【先行技術文献】
【特許文献】
【０００３】
【特許文献１】特開平５−１９２０４４号公報
【発明の概要】
【発明が解決しようとする課題】
【０００４】
しかしながら、従来の栽培装置は、植物の配置空間を開放する場合に、遮蔽幕を巻き取るための構造を設ける必要がある。また、従来の栽培装置においては、遮蔽幕を複数層から構成することが考えられる。例えば、配置空間の断熱を行う断熱層、日光をさえぎる遮光層などが考えられる。このような遮蔽幕の巻き取りを確実に行うためには、当該遮蔽幕の張力を維持しつつ巻き取ること等が必要になり、構造が複雑になる。特に、遮蔽幕が厚みを有する場合には、容易に巻き取ることができず、巻き取られた遮蔽幕により配置空間が十分に開放されず、その遮蔽幕により日光がさえぎられてしまうことがあった。
【０００５】
本発明は、上記問題点に鑑みてなされたものであり、簡易な構造で植物の配置空間を開閉可能とすることを目的とする。
【課題を解決するための手段】
【０００６】
上記目的を達成するために、本発明の栽培装置は、栽培される植物の配置空間の外縁に沿った形状の枠材と、前記枠材の外方に配置され、長手方向の辺の一方が前記枠材の一端に取り付けられて前記枠材に沿って移動することにより、前記配置空間の第１の片側を開閉する第１の幕状体と、前記枠材の外方に前記第１の幕状体と対向して配置され、長手方向の辺の一方が前記枠材の他端に取り付けられて前記枠材に沿って移動することにより、前記配置空間の第２の片側を開閉する第２の幕状体と、前記第１の幕状体及び前記第２の幕状体を移動させる駆動機構と、前記第１の幕状体の長手方向に延在して前記第１の幕状体の内面に当接し、前記配置空間の第１の片側の開閉時に上下方向に移動可能な第１の棒状体と、前記第２の幕状体の長手方向に延在して前記第２の幕状体の内面に当接し、前記配置空間の第２の片側の開閉時に上下方向に移動可能な第２の棒状体と、を備えることを特徴とする。
【０００７】
前記駆動機構は、前記第１の幕状体の長手方向の辺の他方側に取り付けられ、回転自在な第１のプーリと、前記配置空間の第２の片側の上部に配置され、回転自在な第２のプーリと、前記第２の幕状体の長手方向の辺の他方側に取り付けられ、回転自在な第３のプーリと、前記配置空間の第１の片側の上部に配置され、回転自在な第４のプーリと、第１のケーブルと、第２のケーブルと、前記第１のケーブル及び前記第２のケーブルを巻き取り可能な第５のプーリと、を備え、前記第１のケーブルは、一端が前記第２のプーリに取り付けられ、前記第１のプーリ及び前記第２のプーリの順に巻き付けられて延在し、他端が前記第５のプーリに取り付けられ、前記第２のケーブルは、一端が前記第４のプーリに取り付けられ、前記第３のプーリ及び前記第４のプーリの順に巻き付けられて、他端が前記第５のプーリに取り付けられるようにしてもよい。
【０００８】
前記第１の幕状体は、長手方向の辺の他方と前記第１のプーリの取り付け箇所との間に、第１の領域を有し、前記第２の幕状体は、長手方向の辺の他方と前記第３のプーリの取り付け箇所との間に、第２の領域を有するようにしてもよい。
【０００９】
前記第１の領域に取り付けられ、前記第２の領域を止着する止着部材を備えるようにしてもよい。
【００１０】
前記枠材に取り付けられ、前記第１のケーブルが当接可能な第１の当接部材と、前記枠材に取り付けられ、前記第２のケーブルが当接可能な第２の当接部材と、を備えるようにしてもよい。
【００１１】
前記配置空間の上部に設けられ、前記配置空間に液体を散布する配管を備えるようにしてもよい。
【００１２】
前記駆動機構を制御する駆動制御部を備えるようにしてもよい。
【００１３】
前記駆動制御部は、前記配置空間内の温度に応じて前記駆動機構を制御するようにしてもよい。
【００１４】
前記配管から散布される液体の温度を調整する温度調整部を備えるようにしてもよい。
【発明の効果】
【００１５】
本発明によれば、簡易な構造で植物の配置空間を開閉可能とすることが可能となる。
【図面の簡単な説明】
【００１６】
【図１】植物の配置空間の開放時における栽培装置の概略を示す斜視図である。
【図２】植物の配置空間の閉鎖時における栽培装置の概略を示す斜視図である。
【図３】栽培装置の第１の側面図である。
【図４】栽培装置の第２の側面図である。
【図５】栽培装置の制御に関わる構成を示す図である。
【図６】栽培装置の制御を示す第１のタイムチャートである。
【図７】栽培装置の制御を示す第２のタイムチャートである。
【発明を実施するための形態】
【００１７】
以下、本発明の実施形態について図面を参照しながら詳細に説明する。
【００１８】
図１及び図２は、本発明の実施形態に係る栽培装置１の概略を示す斜視図である。図１は、栽培対象の植物（例えばいちご）３００が配置された空間（配置空間）１１の開放時の状態を示し、図２は、配置空間１１の閉鎖時の状態を示す。
【００１９】
図１及び図２に示す枠材１０は、例えばアルミフレームであり、配置空間１１の外縁に沿った逆Ｕ字型の形状を有する。複数の枠材１０は、長手方向Ｘに沿って所定間隔で配置される。枠材１０の内方の空間が配置空間１１となる。棒状部材１５は、配置空間１１における長手方向Ｘと垂直をなす方向の中心（以下、「配置空間１１の中心」と称する）に配置される。
【００２０】
図１及び図２における枠材１０の右側の外方には、長手方向Ｘに延在する第１の幕状体としての断熱・遮光シート２０が配置され、枠材１０の左側の外方には、長手方向Ｘに延在する第２の幕状体としての断熱・遮光シート３０が配置される。すなわち、断熱・遮光シート２０と断熱・遮光シート３０とは、配置空間１１を挟んで対向して配置される。
【００２１】
断熱・遮光シート２０は、長手方向Ｘの辺の一方（一端）２１が枠材１０の一端１６に取り付けられている。同様に、断熱・遮光シート３０は、長手方向Ｘの辺の一方（一端）３１が枠材１０の他端１７に取り付けられている。断熱・遮光シート２０及び断熱・遮光シート３０は、例えば、断熱及び遮光のためのアルミニウムの層、遮光層、保温のためのエアマットの層により構成される。
【００２２】
第１の棒状体としてのシート用重り４０は、長手方向Ｘに延在する円柱形状を有しており、断熱・遮光シート２０の内面に当接して配置される。同様に、第２の棒状体としてのシート用重り５０は、長手方向Ｘに延在する円柱形状を有しており、断熱・遮光シート３０の内面に当接して配置される。
【００２３】
断熱・遮光シート２０の長手方向Ｘの辺の他方（他端）２２は、枠材１０に沿って移動する。同様に、断熱・遮光シート３０の長手方向Ｘの辺の他方（他端）３２は、枠材１０に沿って移動する。図２に示す状態では、断熱・遮光シート２０の他端２２と、断熱・遮光シート３０の他端３２とが接触する。なお、栽培装置１の長手方向Ｘの２つの端部には、それぞれ図示しない遮蔽板が配置されている。このため、図２に示す状態では、配置空間１１は、断熱・遮光シート２０、断熱・遮光シート３０及び２つの遮蔽板によって密閉された状態になる。
【００２４】
断熱・遮光シート２０の他端２２が移動することによって、配置空間１１のうち右側の空間（右側空間）１２が開閉される。また、断熱・遮光シート２０の内面に当接しているシート用重り４０は、断熱・遮光シート２０の他端２２の移動に伴って上下方向に移動する。断熱・遮光シート３０の他端３２が移動することによって、配置空間１１のうち左側の空間（左側空間）１３が開閉される。また、断熱・遮光シート３０の内面に当接しているシート用重り５０は、断熱・遮光シート３０の他端３２の移動に伴って上下方向に移動する。
【００２５】
図３及び図４は、栽培装置１の側面図である。図３及び図４は、図１の方向Ａから見た場合の側面図である。
【００２６】
図３及び図４に示すように、栽培装置１は、図１及び図２で示した枠材１０、棒状部材１５、断熱・遮光シート２０、断熱・遮光シート３０、シート用重り４０及びシート用重り５０に加えて、第１のプーリとしてのプーリ６０、第２のプーリとしてのプーリ６２、第３のプーリとしてのプーリ７０、第４のプーリとしてのプーリ７２、巻き取りモータ７９、第５のプーリとしての巻き取りプーリ８０、第１のケーブルとしてのワイヤ９０、第２のケーブルとしてのワイヤ１００、第１の当接部材としてのワイヤ受け１１０、第２の当接部材としてのワイヤ受け１２０、止着部材としてのシート留め具１２８、配管１３０、配管１４０、断熱パネル１４２、集水シート１４４とを含んで構成される。
【００２７】
これらのうち、プーリ６０、プーリ６２、プーリ７０、プーリ７２、巻き取りモータ７９、巻き取りプーリ８０、ワイヤ９０、ワイヤ１００により、断熱・遮光シート２０及び断熱・遮光シート３０を移動させるための駆動機構が構成される。
【００２８】
プーリ６０は、断熱・遮光シート２０の内面であって他端２２の近傍に、回転自在に取り付けられている。断熱・遮光シート２０における他端２２とプーリ６０の取り付け箇所との間には、第１の領域としての所定幅の領域が形成されている。プーリ６２は、棒状部材１５に支持され、配置空間１１のうち左側空間１３の上部に回転自在に配置されている。
【００２９】
同様に、プーリ７０は、断熱・遮光シート３０の内面であって他端３２の近傍に、回転自在に取り付けられている。断熱・遮光シート３０における他端３２とプーリ７０の取り付け箇所との間には、第２の領域としての所定幅の領域が形成されている。プーリ７２は、棒状部材１５に支持され、配置空間１１のうち右側空間１２の上部に回転自在に配置されている。なお、プーリ６２及びプーリ７２は、回転自在ではあるが、位置は固定されている。
【００３０】
ワイヤ９０は、一端がプーリ６２に取り付けられている。更に、ワイヤ９０は、プーリ６０及びプーリ６２の順に巻き付けられて延在し、他端が巻き取りプーリ８０に取り付けられている。同様に、ワイヤ１００は、一端がプーリ７２に取り付けられている。更に、ワイヤ１００は、プーリ７０及びプーリ７２の順に巻き付けられて延在し、他端が巻き取りプーリ８０に取り付けられている。巻き取りプーリ８０は、巻き取りモータ７９の駆動に応じて回転する。
【００３１】
巻き取りプーリ８０が左回転をする場合、ワイヤ９０は、徐々に巻き取りプーリ８０に巻き取られる。このとき、プーリ６０はワイヤ９０の巻き取りにより、プーリ６２に徐々に接近する。プーリ６０は、断熱・遮光シート２０の他端２２の近傍に取り付けられているため、断熱・遮光シート２０は、プーリ６０がプーリ６２に接近するに従って、右側空間１２を閉鎖していく。また、断熱・遮光シート２０の内面に当接しているシート用重り４０は、上方に移動する。
【００３２】
一方、巻き取りプーリ８０が右回転をする場合、ワイヤ９０は、徐々に巻き取りプーリ８０から解放される。このとき、プーリ６０はワイヤ９０の解放により、プーリ６２から徐々に離れる。プーリ６０がプーリ６２から離れるに従って、断熱・遮光シート２０の内面に当接しているシート用重り４０は、自重によって下方に移動し、断熱・遮光シート２０は、右側空間１２を開放していく。断熱・遮光シート２０は、シート用重り４０の当接箇所を折り目として２つ折りにされ、折り目を境とする２つの領域はそれぞれ鉛直方向に延在することになる。
【００３３】
同様に、巻き取りプーリ８０が左回転をする場合、ワイヤ１００は、徐々に巻き取りプーリ８０に巻き取られる。このとき、プーリ７０はワイヤ１００の巻き取りにより、プーリ７２に徐々に接近する。プーリ７０は、断熱・遮光シート３０の他端３２の近傍に取り付けられているため、断熱・遮光シート３０は、プーリ７０がプーリ７２に接近するに従って、左側空間１３を閉鎖していく。また、断熱・遮光シート３０の内面に当接しているシート用重り５０は、上方に移動する。
【００３４】
一方、巻き取りプーリ８０が右回転をする場合、ワイヤ１００は、徐々に巻き取りプーリ８０から解放される。このとき、プーリ７０はワイヤ１００の解放により、プーリ７２から徐々に離れる。プーリ７０がプーリ７２から離れるに従って、断熱・遮光シート３０の内面に当接しているシート用重り５０は、自重によって下方に移動し、断熱・遮光シート３０は、左側空間１３を開放していく。断熱・遮光シート３０は、シート用重り５０の当接箇所を折り目として２つ折りにされ、折り目を境とする２つの領域はそれぞれ鉛直方向に延在することになる。
【００３５】
ワイヤ受け１１０は、枠材１０における右側空間１２の側に取り付けられている。ワイヤ受け１１０は、図３及び図４の紙面の鉛直方向、換言すれば、図１の長手方向Ｘに所定長だけ延在する円柱形の部材である。同様に、ワイヤ受け１２０は、枠材１０における左側空間１３の側に取り付けられている。ワイヤ受け１２０は、図３及び図４の紙面の鉛直方向（図１の長手方向Ｘ）に所定長だけ延在する円柱形の部材である。
【００３６】
図４に示すように、ワイヤ９０がある程度巻き取りプーリ８０から解放されて、プーリ６０とプーリ６２との距離が長くなると、ワイヤ受け１１０は、プーリ６０とプーリ６２との間のワイヤ９０に当接する。同様に、ワイヤ１００がある程度巻き取りプーリ８０から解放されて、プーリ７０とプーリ７２との距離が長くなると、ワイヤ受け１２０は、プーリ７０とプーリ７２との間のワイヤ１００に当接する。
【００３７】
シート留め具１２８は、断熱・遮光シート２０の内面であってプーリ７０の取り付け箇所よりも他端２２に近い箇所に取り付けられている。断熱・遮光シート２０によって右側空間１２が閉鎖されるとともに、断熱・遮光シート３０によって左側空間１３が閉鎖された状態では、断熱・遮光シート２０の他端２２の近傍とシート留め具１２８との間に断熱・遮光シート３０の他端３２の近傍が挟み込まれて固定される。
【００３８】
配管１３０は、棒状部材１５に取り付けられており、図３及び図４の紙面の鉛直方向（図１の長手方向Ｘ）に延在する。配管１３０には、ノズル１３２が設けられている。配管１３０には、病害虫駆除のために配置空間１１の温度を上昇させる際に所定温度以上の水（温水）が流れ、ノズル１３２から温水が植物３００に向けて散布される。また、配管１３０には、配置空間１１の冷却の際に上述の温水より低い温度の水（冷水）が流れ、ノズル１３２から冷水が植物３００に向けて散布される。
【００３９】
配管１４０は、土等の栽培プランター３０１の内部に埋設されており、図３及び図４の紙面の鉛直方向（図１の長手方向Ｘ）に延在され、培地冷却用の水が流れている。
【００４０】
断熱パネル１４２は、配置空間１１の断熱のために設けられており、一端が枠材１０の一端１６に取り付けられ、他端が枠材１０の他端１７に取り付けられている。集水シート１４４は、断熱パネル１４２の上方に配置され、中心に向かって下がった形状を有する。集水シート１４４は、配管１３０のノズル１３２から散布された水（温水）を集めて排出する。
【００４１】
図５は、栽培装置１の制御に関わる構成を示す図である。図５に示すように、栽培装置１の制御に関わる構成は、巻き取りモータ７９、巻き取りプーリ８０、制御部２００、サーミスタ２１０、モータポンプ２３０、電磁弁２４０、電磁弁２４２、タンク２５０、水温計２５２及びヒータ２５４を含んで構成される。
【００４２】
制御部２００は、例えばＣＰＵ（Central Processing Unit）やメモリ等により構成される。制御部２００は、所定のプログラムを実行し、各種データを処理することなどにより、栽培装置１の全体を制御する。制御部２００は、駆動制御部２０２、散布制御部２０４及び水温制御部２０６の機能を実現する。
【００４３】
サーミスタ２１０は、配置空間１１内に配置され、配置空間１１の温度を検出する。ここで、配置空間１１の温度とは、配置空間１１の気温でもよく、植物３００の葉の表面温度等でもよい。
【００４４】
モータポンプ２３０は、タンク２５０内の水（温水）を汲み上げて配管１３０に供給するためのポンプである。電磁弁２４０は、配管１３０に取り付けられており、病害虫駆除のために配置空間１１の温度を上昇させる際に開放状態となり、タンク２５０内の水を配管１３０に供給する。また、配置空間１１の温度を下降させる際には、電磁弁２４０を閉鎖状態とし、電磁弁２４２を開放状態とすることによって、外部からの水（冷水）を配管１３０に供給する。
【００４５】
水温計２５２は、タンク２５０内に配置され、タンク２５０内の水の温度を検出する。ヒータ２５４は、タンク２５０内に配置され、タンク２５０内の水を温める。
【００４６】
次に、タイムチャートを参照しつつ、制御部２００による制御を説明する。図６は、温水散布による病害虫駆除時及び病害虫駆除終了後の制御部２００による制御を示すタイムチャートである。なお、初期状態において、電磁弁２４０及び電磁弁２４２は閉鎖状態であるものとする。
【００４７】
温水散布による病害虫駆除を開始する場合、散布制御部２０４は、モータポンプ２３０を駆動させる。モータポンプ２３０が駆動することにより、タンク２５０内の温水が配管１３０に供給可能な状態となる。
【００４８】
また、温水散布による病害虫駆除を開始する場合、駆動制御部２０２は、巻き取りモータ７９を駆動させて、巻き取りプーリ８０を左方向に回転させる。これにより、上述したように、ワイヤ９０及びワイヤ１００は、徐々に巻き取りプーリ８０に巻き取られ、更に、プーリ６０がプーリ６２に接近することで、断熱・遮光シート２０が配置空間１１の右側空間１２を閉鎖し、プーリ７０がプーリ７２に接近することで、断熱・遮光シート３０が配置空間１１の左側空間１３を閉鎖する。
【００４９】
配置空間１１が閉鎖された場合、散布制御部２０４は、電磁弁２４０を開放状態にさせる。これにより、タンク２５０内の温水が配管１３０に供給され、ノズル１３２から植物３００に向けて温水が散布され、病害虫の駆除が行われる。一方、電磁弁２４２は閉鎖状態が維持される。
【００５０】
温水が散布されることにより、配置空間１１内の温度は徐々に上昇する。制御部２００は、作業者の操作等によって、予め配置空間１１の温度（設定温度）と、その温度の継続時間（設定時間）とを記憶している。制御部２００は、配置空間１１が閉鎖されて温水が散布されている間にサーミスタ２１０によって随時検出される配置空間１１内の温度を取得し、当該取得した温度の履歴に基づいて、設定温度以上の温度が設定時間継続したか否かを判定する。
【００５１】
設定温度以上の温度が設定時間継続した場合、駆動制御部２０２は、巻き取りモータ７９を駆動させて、巻き取りプーリ８０を右方向に回転させる。これにより、上述したように、ワイヤ９０及びワイヤ１００は、徐々に巻き取りプーリ８０から開放され、更に、プーリ６０がプーリ６２に離れることで、断熱・遮光シート２０が配置空間１１の右側空間１２を開放し、プーリ７０がプーリ７２から離れることで、断熱・遮光シート３０が配置空間１１の左側空間１３を開放する。
【００５２】
また、設定温度以上の温度が設定時間継続した場合、散布制御部２０４は、電磁弁２４０を閉鎖状態にさせる。これにより、タンク２５０内の温水が配管１３０に供給されなくなり、ノズル１３２からの温水散布が終了する。
【００５３】
配置空間１１が開放された場合、散布制御部２０４は、電磁弁２４２を開放状態にさせる。これにより、外部からの冷水が配管１３０に供給され、ノズル１３２から植物３００に向けて冷水が散布される。冷水が散布されることにより、配置空間１１内の温度は徐々に低下する。その後、散布制御部２０４は、電磁弁２４２を閉鎖状態にさせる。これにより、冷水が配管１３０に供給されなくなり、ノズル１３２からの冷水散布が終了する。
【００５４】
図７は、タンク２５０内の水温調整時の制御部２００による制御を示すタイムチャートである。水温制御部２０６は、水温計２５２によって随時検出されるタンク２５０内の水温を取得し、当該水温が予め定められた第１の水温（第１の設定水温）以下であるか否かを判定する。
【００５５】
タンク２５０内の水温が第１の設定水温以下である場合、水温制御部２０６は、ヒータ２５４を稼働させる（オン）。これにより、タンク２５０内の水の温度は徐々に上昇する。
【００５６】
ヒータ２５４の稼働後、水温制御部２０６は、水温計２５２によって随時検出されるタンク２５０内の水温を取得し、当該水温が予め定められた第２の水温（第２の設定水温）以上であるか否かを判定する。ここで、第２の設定水温は第１の設定水温よりも高い値である。
【００５７】
タンク２５０内の水温が第２の設定水温以上である場合、水温制御部２０６は、ヒータ２５４を未稼働にさせる（オフ）。これにより、タンク２５０内の水の温度上昇は停止する。
【００５８】
以上説明したように、本実施形態における栽培装置１では、シート用重り４０は断熱・遮光シート２０の内面に当接して配置され、シート用重り５０は断熱・遮光シート３０の内面に当接して配置される。断熱・遮光シート２０及び断熱・遮光シート３０が移動することによって、配置空間１１が開放される場合、シート用重り４０及びシート用重り５０は、上下方向に移動するのみである。特に、配置空間１１が閉鎖から開放に至る場合には、シート用重り４０は、自重によって下方に移動し、シート用重り５０は、自重によって下方に移動する。
【００５９】
このため、断熱・遮光シート２０及び断熱・遮光シート３０を巻き取る構造を設けなくても、シート用重り４０及びシート用重り５０の自重によって断熱・遮光シート２０及び断熱・遮光シート３０を下方に移動させることにより、確実に配置空間１１の開放させることができる。また、断熱・遮光シート２０及び断熱・遮光シート３０の厚みがある場合に、従来の巻き取り構造を有する場合のように、巻き取りが確実にできず、配置空間１１が十分開放されないということもない。
【００６０】
また、断熱・遮光シート２０及び断熱・遮光シート３０は、シート用重り４０及びシート用重り５０の当接箇所を折り目として２つ折りにされ、折り目を境とする２つの領域はそれぞれ鉛直方向に延在することになる。このため、従来の巻き取り構造よりも幅方向のスペースを小さくすることができる。
【００６１】
また、本実施形態における栽培装置１では、プーリ６２は、左側空間１３の上部に回転自在に配置されている。このため、配置空間１１が開放から閉鎖に至る場合には、断熱・遮光シート２０の端部２２を、配置空間１１の中心まで確実に移動させることができる。同様に、プーリ７２は、右側空間１２の上部に回転自在に配置されている。このため、配置空間１１が開放から閉鎖に至る場合には、断熱・遮光シート３０の端部３２を、配置空間１１の中心まで確実に移動させることができる。
【００６２】
また、本実施形態における栽培装置１では、断熱・遮光シート２０における他端２２とプーリ６０の取り付け箇所との間には、所定幅の領域が形成され、断熱・遮光シート３０における他端３２とプーリ７０の取り付け箇所との間には、所定幅の領域が形成されている。このため、配置空間１１の閉鎖時には、所定幅の領域同士を重ねて配置空間１１の密閉度を高めることができる。
【００６３】
また、本実施形態における栽培装置１では、シート留め具１２８が、断熱・遮光シート２０の内面であってプーリ７０の取り付け箇所よりも他端２２に近い箇所に取り付けられており、配置空間１１の閉鎖時には、断熱・遮光シート２０の他端２２の近傍とシート留め具１２８との間に断熱・遮光シート３０の他端３２の近傍が挟み込まれて固定される。このため、配置空間１１の閉鎖時に、当該配置空間１１の密閉度を高めることができる。
【００６４】
また、本実施形態における栽培装置１では、ワイヤ受け１１０が、枠材１０における右側空間１２の側に取り付けられ、ワイヤ受け１２０が、枠材１０における左側空間１３の側に取り付けられている。プーリ６０とプーリ６２との距離が長くなると、ワイヤ受け１１０は、プーリ６０とプーリ６２との間のワイヤ９０に当接する。プーリ６０とプーリ６２との距離が長くなると、プーリ６０とプーリ６２との間のワイヤ９０の張力が大きくなるが、ワイヤ受け１１０に当接することにより、その張力を減少させることができる。同様に、プーリ７０とプーリ７２との間のワイヤ１００は、ワイヤ受け１２０に当接することにより、張力を減少させることができる。
【００６５】
また、本実施形態における栽培装置１では、駆動制御部２０２が配置空間１１の温度に応じて、断熱・遮光シート２０及び断熱・遮光シート３０を移動させて配置空間１１の開閉させることができるため、配置空間１１の温度調節を適切に行うことができる。
【００６６】
また、本実施形態における栽培装置１では、水温制御部２０６がタンク２５０内の水の温度を調整するため、適切な温度の水を配置空間１１に散布することができる。
【００６７】
以上、本発明の実施形態について説明したが、本発明は上述の実施形態に限定されるものではない。例えば、上記実施形態では、配置空間１１の温度に応じて、断熱・遮光シート２０及び断熱・遮光シート３０を移動させ、配置空間１１を開閉させた。しかし、他の条件、例えば、１日の日照時間に応じたスケジュールで断熱・遮光シート２０及び断熱・遮光シート３０を移動させ、配置空間１１を開閉させるようにしてもよい。また、配置空間１１を冷房又は暖房させる場合に応じて断熱・遮光シート２０を移動させ、配置空間１１を開放又は閉鎖することにより、省コストで植物の収穫時期を調整することができる。
【００６８】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００６９】
１  栽培装置
１０  枠材
１１  配置空間
１２  右側空間
１３  左側空間
１５  棒状部材
２０、３０  断熱・遮光シート
４０、５０  シート用重り
６０、６２、７０、７２  プーリ
７９  巻き取りモータ
８０  巻き取りプーリ
９０、１００  ワイヤ
１１０、１２０  ワイヤ受け
１２８  シート留め具
１３０、１４０  配管
１３２  ノズル
１４２  断熱パネル
１４４  集水シート
２００  制御部
２０２  駆動制御部
２０４  散布制御部
２０６  水温制御部
２１０  サーミスタ
２３０  モータポンプ
２４０、２４２  電磁弁
２５０  タンク
２５２  水温計
２５４  ヒータ
【図１】
2013230110.tif 000003
【図２】
2013230110.tif 000004
【図３】
2013230110.tif 000005
【図４】
2013230110.tif 000006
【図５】
2013230110.tif 000007
【図６】
2013230110.tif 000008
【図７】
2013230110.tif 000009